(57)【特許請求の範囲】
【請求項１】
インクを収容可能なインクタンクと、前記インクタンクに連通した第１の流路と、前記第１の流路を介して前記インクタンクに連通した負圧室と、前記インクタンクを加圧する加圧動作を行うことによって、前記インクタンクから前記インクを前記第１の流路を通じて前記負圧室に送り込む加圧ポンプと、前記インクタンクの内部圧力を検出する圧力センサーと、前記負圧室を介して前記第１の流路に連通可能な第２の流路と、前記負圧室から前記第２の流路を通じて供給されたインクを吐出する吐出動作を行う記録ヘッドと、前記第２の流路に設けられ、閉鎖信号が入力されると前記第２の流路を閉鎖する制御弁と、前記加圧ポンプ、前記圧力センサー、および前記制御弁の各々に接続された制御部と、を有し、
前記負圧室は、前記第１の流路と前記第２の流路とを連通させる連通部と、前記加圧動作で発生した圧力で前記連通部を閉鎖し、前記吐出動作に伴う前記負圧室内の減圧に対応して前記連通部を開放する供給弁と、を有し、
前記制御部は、前記加圧ポンプが前記加圧動作を開始してから第１の時間が経過したときの前記圧力センサーの第１の検出値がしきい値未満の場合に前記閉鎖信号を前記制御弁に出力し、該閉鎖信号を出力してから第２の時間が経過したときの前記圧力センサーの第２の検出値が前記しきい値以上である場合には前記供給弁が正常に作動していないことを示す第１のエラー信号を出力し、前記第２の検出値が前記しきい値未満である場合には前記第１の流路が異常であることを示す第２のエラー信号を出力する、インクジェット記録装置。
【請求項２】
前記インクタンクにおける前記インクの残量値を検出して前記制御部へ出力する残量検出部と、互いに異なる複数の前記残量値の各々に対応付けて時間を示したデータを格納する記憶部と、をさらに有し、
前記制御部は、前記加圧ポンプが前記加圧動作を開始する直前に前記残量検出部に前記残量値を検出させ、検出された残量値に対応付けて前記データに示されている時間を前記第１の時間として選択する、請求項１に記載のインクジェット記録装置。
【請求項３】
インクを収容可能なインクタンクと、前記インクタンクに連通した第１の流路と、前記第１の流路を介して前記インクタンクに連通した負圧室と、前記負圧室を介して前記第１の流路に連通可能な第２の流路と、前記負圧室から前記第２の流路を通じて供給されたインクを吐出する吐出動作を行う記録ヘッドと、を有し、前記負圧室が前記第１の流路と前記第２の流路とを連通させる連通部と、前記インクタンクを加圧することによって発生した圧力で前記連通部を閉鎖し、前記吐出動作に伴う前記負圧室内の減圧に対応して前記連通部を開放する供給弁と、を有するインクジェット記録装置で行われる圧力異常検知方法において、
前記インクタンクを加圧する第１のステップと、
前記第１のステップから第１の時間が経過したときに前記インクタンクの内部圧力を検出する第２のステップと、
前記第２のステップで検出された第１の検出値としきい値を比較し、前記第１の検出値が前記しきい値未満である場合に前記第２の流路を閉鎖する第３のステップと、
前記第３のステップから第２の時間が経過したときに前記インクタンクの内部圧力を検出する第４のステップと、
前記第４のステップで検出された第２の検出値と前記しきい値とを比較し、前記第２の検出値が前記しきい値以上である場合に前記供給弁が正常に作動していないことを示す第１のエラー信号を生成し、前記第２の検出値が前記しきい値未満である場合に前記第１の流路が異常であることを示す第２のエラー信号を生成する第５のステップと、
を有する、ことを特徴とする圧力異常検知方法。
【請求項４】
インクを収容可能なインクタンクと、前記インクタンクを加圧する加圧動作を行う加圧ポンプと、前記インクタンクの内部圧力を検出する検出動作を行う圧力検出手段と、前記インクタンクに連通した第１の流路と、供給弁を介して前記第１の流路に連通可能な第２の流路と、前記第２の流路を通じて供給されたインクを吐出する吐出動作を行う記録ヘッドと、前記第２の流路に設けられ、前記第２の流路を閉鎖する制御弁と、前記加圧ポンプ、前記圧力検出手段、および前記制御弁を制御する制御部と、を有し、
前記供給弁は、前記加圧動作で発生した圧力で閉じ、前記吐出動作に伴う前記第２の流路の減圧に対応して開き、前記制御弁が開いた状態で前記加圧ポンプに前記加圧動作を行わせたときに前記圧力検出手段によって検出される第１の検出値によって装置に異常があるか判断する判断手段を備えるインクジェット記録装置において、
前記制御部は、前記判断手段によって装置に異常があると判断された場合は、前記制御弁を閉じた状態で前記加圧ポンプによって前記加圧動作を行わせたときに前記圧力検出手段に検出動作を行わせ、当該検出動作によって検出された第２の検出値がしきい値以上である場合は前記供給弁が異常であることを示す第１のエラー信号を出力し、前記第２の検出値が前記しきい値未満である場合は前記第１の流路が異常であることを示す第２のエラー信号を出力することを特徴とするインクジェット記録装置。
【請求項５】
前記第１の検出値は、前記制御弁が開いた状態で前記加圧ポンプに前記加圧動作を行わせてから第１の時間が経過したときに前記圧力検出手段によって検出されることを特徴とする請求項４に記載のインクジェット記録装置。
【請求項６】
前記インクタンクにおけるインクの残量値を検出して前記制御部へ出力する残量検出部を有し、
前記制御部は、
前記加圧ポンプが前記加圧動作を開始する前に前記残量検出部に前記残量値を検出させ、検出された前記残量値に対応した時間を前記第１の時間として選択することを特徴とする請求項５に記載のインクジェット記録装置。
【請求項７】
前記第２の検出値は、前記制御弁を閉じた状態で前記加圧ポンプに前記加圧動作を行わせてから第２の時間が経過したときに前記圧力検出手段によって検出されることを特徴とする請求項４に記載のインクジェット記録装置。
【請求項８】
インクを収容可能なインクタンクと、前記インクタンクに連通した第１の流路と、供給弁を介して前記第１の流路に連通可能な第２の流路と、前記第２の流路を通じて供給されたインクを吐出する吐出動作を行う記録ヘッドと、を有し、前記供給弁は、前記第１の流路の加圧に対応して閉じ、前記吐出動作に伴う前記第２の流路の減圧に対応して開く、インクジェット記録装置で行われる圧力異常検知方法において、
前記インクタンクを加圧する第１のステップと、
前記第１のステップの後に前記インクタンクの内部圧力を検出する第２のステップと、
前記第２のステップで検出された第１の検出値としきい値を比較し、前記第１の検出値が前記しきい値未満である場合に前記第２の流路を閉鎖する第３のステップと、
前記第３のステップの後に前記インクタンクの内部圧力を検出する第４のステップと、
前記第４のステップで検出された第２の検出値としきい値とを比較し、前記第２の検出値が前記しきい値以上である場合に前記供給弁が異常であることを示す第１のエラー信号を出力し、前記第２の検出値が前記しきい値未満である場合に前記第１の流路が異常であることを示す第２のエラー信号を生成する第５のステップと、
を有することを特徴とする圧力異常検知方法。
【請求項９】
前記第２のステップは、前記第１のステップから第１の時間が経過したときに行うことを特徴とする請求項８に記載の圧力異常検知方法。
【請求項１０】
前記加圧手段が前記加圧動作を開始する前に前記インクタンクにおけるインクの残量値を検知させ、
検知された前記残量値に対応した時間を前記第１の時間として選択する請求項９に記載の圧力異常検知方法。
【請求項１１】
前記第４のステップは、前記第３のステップから第２の時間が経過したときに行うことを特徴とする請求項８に記載の圧力異常検知方法。
【発明の詳細な説明】
【技術分野】
【０００１】
本発明は、インクタンクを加圧することによって、インクタンクに収納されたインクを、負圧室を経由して記録ヘッドに供給するインクジェット記録装置、および該インクジェット記録装置で行われる圧力異常検知方法に関する。
【背景技術】
【０００２】
近年、大判のシート（例えば、Ａ１版、Ａ０版）に写真のような高画質の画像を記録するときにインクジェット記録装置が使用されてきている。大判のシートに記録するインクジェット記録装置では、多量のインクが消費されるので、インクタンクの交換回数を少なくするためにインクタンクの容量を大きくすると、インクタンクの重量が増大する。インクタンクの重量が増大すると、シート上を移動するキャリッジに加わる重量が増大する。キャリッジの負荷を低減するためにインクタンクを小型化すると、頻繁にインクタンクの交換を行わなければならず不便である。そこで、多量のインクを消費するインクジェット記録装置には、一般的に図９に示すようなインク供給系が用いられている。
【０００３】
図９に示すインクジェット記録装置において、インクを吐出する記録ヘッド２０１は、記録用シートＳの上を移動可能なキャリッジ２０２に搭載されている。また、装置本体に固定されたインク供給ユニット２０５には、メインタンク２０４が交換可能に収納されている。記録ヘッド２０１とメインタンク２０４は、チューブ、継手などで構成されたインク供給チューブ２００によって連結されている。インク供給チューブ２００の少なくとも一部には、柔軟性のあるチューブ（例えばシリコンチューブ、ポリエチレンチューブなど）が用いられている。これは、キャリッジ２０２が、記録時には往復移動するので、インク供給チューブ２００がキャリッジ２０２の移動を妨げないようにするためである。
【０００４】
図９に示すようなインクジェット記録装置では、記録用シートＳが大きくなるほど、インク供給チューブの引き回し距離が大きくなる。その結果、インク供給チューブ２００における動圧（圧力損失）が大きくなる。そこで、インク供給チューブにおける動圧の影響を少なくするために、加圧ポンプでメインメインタンクを加圧することによって、キャリッジに搭載された各サブタンクに対してインクを供給する装置が特許文献１に開示されている。
【０００５】
しかし、特許文献１に開示された装置では、加圧経路の継手や各シール部の劣化箇所から異常な空気漏れが生じる可能性がある。このような空気漏れが発生すると、加圧ポンプの駆動回数が増加して加圧ポンプの寿命を早めてしまうといった問題が起こりうる。そこで、このような問題を解決するための装置が特許文献２に開示されている。この装置は、加圧経路（エアー流路）の圧力を検知した結果に基づいて異常なリーク（空気漏れ）か否か判断する手段と、異常リークを報知する報知手段と、を有する。この装置によれば、異常リークが発生した場合、その異常リークをユーザに報知して、適切な対処を促すことが可能となる。これにより、異常リークが放置されるのを防ぐことが可能となる。
【先行技術文献】
【特許文献】
【０００６】
【特許文献１】特開２００３−２３７１０４号公報
【特許文献２】特開２００６−２２４０２８号公報
【発明の概要】
【発明が解決しようとする課題】
【０００７】
しかしながら、特許文献２に開示された装置では、圧力の異常を検知して報知する構成は開示されているものの、圧力異常箇所を特定する具体的な構成は開示されていない。そのため、圧力異常が発生したとき、圧力異常箇所を特定するための時間が必要になり、速やかに対処することが困難である。
【０００８】
そこで本発明は、圧力異常に対して速やかに対処することが可能なインクジェット記録装置、および圧力異常検知方法を提供することを目的とする。
【課題を解決するための手段】
【０００９】
上記目的を達成するための本発明によるインクジェット記録装置は、インクを収容可能なインクタンクと、前記インクタンクに連通した第１の流路と、前記第１の流路を介して前記インクタンクに連通した負圧室と、前記インクタンクを加圧する加圧動作を行うことによって、前記インクタンクから前記インクを前記第１の流路を通じて前記負圧室に送り込む加圧ポンプと、前記インクタンクの内部圧力を検出する圧力センサーと、前記負圧室を介して前記第１の流路に連通可能な第２の流路と、前記負圧室から前記第２の流路を通じて供給されたインクを吐出する吐出動作を行う記録ヘッドと、前記第２の流路に設けられ、閉鎖信号が入力されると前記第２の流路を閉鎖する制御弁と、前記加圧ポンプ、前記圧力センサー、および前記制御弁の各々に接続された制御部と、を有し、前記負圧室は、前記第１の流路と前記第２の流路とを連通させる連通部と、前記加圧動作で発生した圧力で前記連通部を閉鎖し、前記吐出動作に伴う前記負圧室内の減圧に対応して前記連通部を開放する供給弁と、を有し、前記制御部は、前記加圧ポンプが前記加圧動作を開始してから第１の時間が経過したときの前記圧力センサーの第１の検出値がしきい値未満の場合に前記閉鎖信号を前記制御弁に出力し、該閉鎖信号を出力してから第２の時間が経過したときの前記圧力センサーの第２の検出値が前記しきい値以上である場合には前記供給弁が正常に作動していないことを示す第１のエラー信号を出力し、前記第２の検出値が前記しきい値未満である場合には前記第１の流路が異常であることを示す第２のエラー信号を出力する。
【発明の効果】
【００１１】
本発明によれば、圧力異常が発生したとき、第２の流路に設けられた制御弁を閉鎖した状態で再度圧力を検出している。そして、検出結果に応じて第１のエラー信号または第２のエラー信号を出力することによって、圧力異常が、その発生箇所の異なる２つのモードに分類される。これにより、圧力異常箇所が自動的に特定されるので、速やかに対処することが可能となる。
【図面の簡単な説明】
【００１２】
【図１】本発明の実施形態１のインクジェット記録装置の要部の構成を示す図である。
【図２】本発明の実施形態１のインクジェット記録装置に設けられた負圧室の構成を示す断面図である。
【図３】本発明の実施形態１のインクジェット記録装置の電気的な制御構成を示すブロック図である。
【図４】本発明の実施形態１のインクジェット記録装置で行われる圧力異常検知動作の手順を示すフローチャートである。
【図５】インクタンクの内部圧力の変化を示すグラフである。
【図６】インクタンクにおけるインクの残量に応じた圧力変化の一例を示すグラフである。
【図７】本発明の実施形態２のインクジェット記録装置の電気的な制御構成を示すブロック図である。
【図８】本発明の実施形態２のインクジェット記録装置で行われる圧力異常検知動作の手順を示すフローチャートである。
【図９】インクジェット記録装置における一般的なインク供給系の構成を示す斜視図である。
【発明を実施するための形態】
【００１３】
（実施形態１）
まず、本実施形態のインクジェット記録装置の構成について説明する。
【００１４】
図１は、本実施形態のインクジェット記録装置の要部の構成を示す図である。図１に示すインクジェット記録装置１には、インクを収容可能なインクタンク３０が設けられている。インクタンク３０は、装置本体に交換可能に取り付けられている。インクタンク３０には、第１の流路５６が連通している。また、インクタンク３０は、加圧ポンプ３２で加圧され、そのときの内部圧力が圧力センサー３１によって検出される。加圧ポンプ３２の加圧に伴って、インクタンク３０からインクが第１の流路５６を通じて負圧室５０に送り込まれる。負圧室５０は、記録ヘッド１０の圧力を予め設定された圧力範囲内に維持し、インクタンク３０からのインクを、第２の流路５５を通じて記録ヘッド１０に供給する。負圧室５０、第２の流路５５、および記録ヘッド１０は、キャリッジ２に搭載されている。
【００１５】
記録ヘッド１０は、複数の記録素子（不図示）と、インクを吐出するための複数のノズル１１とが配列されたインク吐出部である記録素子チップを有している。さらに、記録ヘッド１０は、複数のノズル１１に共通に接続されたインク室（不図示）を備えている。記録素子には、ピエゾ素子に代表される電気機械変換体素子、発熱抵抗体に代表される電気熱変換体素子、あるいは電波やレーザ等の電磁波を機械的振動または熱に変換する電磁波機械変換体素子、電磁波熱変換体素子が適用できる。記録ヘッド１０は、負圧室５０からインク室に供給されたインクを、記録素子の動作に基づいてノズル１１から吐出する吐出動作を行う。
【００１６】
図２は、負圧室５０の構成を示す断面図である。図２（ａ）は供給弁５１が閉じた状態を示し、図２（ｂ）は、供給弁５１が開いた状態を示す。
【００１７】
負圧室５０の内部には、第１の流路５６と第２の流路５５とを連通させる連通部５４（図２（ｂ）参照）が設けられている。第２の流路５５と第１の流路５６とは、連通部５４を開閉する供給弁５１によって連通状態または非連通状態となる。供給弁５１は、フィルムやゴムで作られた可撓膜５３に接続され、大気圧と、ばね５２とのバランスによって開閉可能となっている。
【００１８】
負圧室５０において、記録ヘッド１０の吐出動作に伴ってインクが消費されると、負圧室５０のインクが少なくなり、負圧室内は減圧される。すると、可撓膜５３は、供給弁５１が連通部５４を開放する方向（図２（ａ）矢印参照）へ変形する。さらにインクの消費が進むと、図２（ｂ）に示すように連通部５４が開き、インクタンク３０からのインクが流入する。インクが流入すると、可撓膜５３は、供給弁５１が連通部５４を閉じる方向（図２（ｂ）矢印参照）へ変形する。これにより、連通部５４が閉じる。
【００１９】
図３は、インクジェット記録装置１の電気的な制御構成を示すブロック図である。図３に示すように、インクジェット記録装置１は、加圧ポンプ３２、圧力センサー３１、および制御弁２０に接続された制御部３を有する。制御弁２０は、第２の流路５５に設けられており、制御部３から閉鎖信号が入力されると第２の流路５５を閉鎖する。また、制御部３には、制御部３の制御に基づいて表示動作を行う表示部４と、種々のデータを格納した記憶部５と、が接続されている。
【００２０】
次に、インクジェット記録装置１で行われる圧力異常検知動作について説明する。
【００２１】
図４は、インクジェット記録装置１で行われる圧力異常検知動作の手順を示すフローチャートである。図５は、インクタンク３０を加圧した時のインクタンク３０の内部圧力の変化を示すグラフである。図５において、横軸は時間を示し、縦軸はインクタンク３０の内部の圧力を示す。
【００２２】
まず、加圧ポンプ３２が、制御部３の制御に従ってインクタンク３０を加圧する加圧動作を行う（ステップＳ１）。
【００２３】
加圧ポンプ３２が加圧動作を開始してから第１の時間ｔ０（図５参照）が経過すると、圧力センサー３１が、制御部３の制御に従ってインクタンク３０の内部圧力を検出し、検出値を制御部３へ出力する（ステップＳ２）。制御部３は、圧力センサー３１の検出値（第１の検出値）を、予め定められたしきい値Ｐ０（図５参照）と比較する（ステップＳ３）。第１の時間は、正常時にしきい値Ｐ０に達する最短時間にある程度加算した時間に設定されている。
【００２４】
圧力センサー３１の検出値が、しきい値Ｐ０以上である場合、制御部３は、圧力異常なしと判断して、正常信号を生成して出力する（ステップＳ４）。本実施形態では、正常信号の出力先は、インクジェット記録装置１に接続されているコンピュータであり、そのコンピュータは、圧力異常がないことを表示する。なお、正常信号の出力先は、表示部４であってもよい。この場合、表示部４が、圧力異常がないことを表示する。正常信号を出力後、制御部３は、インクタンク３の内部圧力が一定になるように加圧ポンプ３２の動作を制御する。すなわち、制御部３は、インクタンク３の内部圧力がしきい値Ｐ０に達した後、一定圧力に保持するように加圧ポンプ３２を動作させる。これにより、正常時には、図５の線Ｌ１に示すような圧力線図となる。
【００２５】
圧力センサー３１の検出値が、しきい値Ｐ０未満である場合、制御部３は、圧力異常が発生していると判断し、閉鎖信号を制御弁２０へ送信する（ステップＳ５）。制御弁２０は、閉鎖信号の入力に伴って第２の流路５５を閉鎖する。
【００２６】
制御部３が閉鎖信号を送信してから第２の時間ｔ２（図５参照）が経過すると、圧力センサー３１が、再びインクタンク３０の内部圧力を検出し、検出値を制御部３へ出力する（ステップＳ６）。制御部３は圧力センサー３１の検出値（第２の検出値）を、しきい値Ｐ０と比較する（ステップＳ７）。
【００２７】
圧力センサー３１の検出値が、しきい値Ｐ０以上である場合（図４の線Ｌ２参照）、制御部３は、供給弁５１が正常に作動していないと判断して、そのことを示す第１のエラー信号を生成して出力する（ステップＳ８）。本実施形態では、第１のエラー信号の出力先は、インクジェット記録装置１に接続されているコンピュータであり、そのコンピュータは、供給弁５１が連通部５４を閉鎖していないことを表示する。なお、第１のエラー信号の出力先は、表示部４であってもよい。この場合、表示部４が、供給弁５１が連通部５４を閉鎖していないことを表示する。
【００２８】
供給弁５１は、本来、加圧ポンプ３１の加圧動作で発生した圧力で連通部５４を閉鎖している。しかし、加圧ポンプ３１が加圧動作を行っているにもかかわらず供給弁５１が連通部５４を閉鎖していないと、インクタンク３０から記録ヘッド１０まで連通した状態となるので、インクタンク３０の内部圧力はしきい値Ｐ０以上に上昇しない。そこで、制御弁２０が第２の流路５５を閉鎖することで負圧室５０と記録ヘッド１０との連通を遮断する。その結果、圧力センサー３１の検出値がしきい値Ｐ０以上になるということは、インクタンク３０から制御弁２０までが加圧状態になっていることを意味している。すなわち、供給弁５１が連通部５４を閉鎖していないことを意味しているので、供給弁５１が正常に作動していないと判断できる。
【００２９】
圧力センサー３１の検出値が、しきい値Ｐ０未満である場合（図４の線Ｌ３参照）、制御部３は、第１の流路５６が異常であると判断して、そのことを示す第２のエラー信号を生成して出力する（ステップＳ９）。なお、第２のエラー信号の出力先は第１のエラー信号と同様に、インクジェット記録装置１に接続されているコンピュータ、または表示部４のいずれかである。第２の信号が入力されたコンピュータまたは表示部４は、第１の流路５６から空気が漏れていることを表示する。
【００３０】
制御弁２０の閉鎖で圧力センサー３１の検出値がしきい値Ｐ０未満になるということは、制御弁２０の開閉に関わらず（供給弁５１が連通部５４を閉鎖しているにも関わらず）、圧力が上昇しないということを意味している。すなわち、供給弁５１よりもインク流れの上流に位置する第１の流路５６の異常と判断できる。
【００３１】
本実施形態では、上述したように、圧力センサー３１の検出値がしきい値以上であるかしきい値未満であるかで圧力異常が発生しているか否か判断している。圧力センサー３１の検出値がしきい値未満の場合には、制御弁５２が第２の流路５５を閉鎖して（第３のステップ）、圧力センサー３１が再度圧力を検出する（第４のステップ）。そして、制御部３が、検出結果に応じて第１のエラー信号または第２のエラー信号が出力する（第５のステップ）。これにより、圧力異常が、その発生箇所の異なる２つのモードに分類される。よって、圧力異常箇所が自動的に特定されるので、速やかに対処することが可能となる。圧力異常に速やかに対処することによって、装置の停止時間の短縮や、部品交換費用の低減が可能となる。
【００３２】
（実施形態２）
本実施形態のインクジェット記録装置の構成について説明する。なお、上述したインクジェット記録装置１と同様の構成については同じ符号を付し、詳細な説明は省略する。本実施形態のインクジェット記録装置は、インクタンク３０に収納されているインクの残量を考慮して圧力異常の有無を検知している。
【００３３】
図６は、インクタンク３０におけるインクの残量に応じた圧力変化の一例を示すグラフである。図６では、横軸は時間を示し、縦軸はインクタンク３０の内部の圧力を示す。また、図６では、線Ａ、Ｂ、Ｃ、Ｄの順にインクタンク３０に収容されたインクの残量値が少ない。図６に示すようにインクの残量が少なくなるにつれて、圧力がしきい値Ｐ０に到達するまでの時間ｔ３〜ｔ６が長くなる。言い換えると、同じ加圧ポンプ３２でインクタンク３０を加圧した場合、加圧空間が大きくなるにつれて、圧力の上昇時間が長くなる。そこで、本実施形態のインクジェット記録装置は、インクタンク３０におけるインクの残量に応じてインクタンク３０の内部圧力がしきい値Ｐ０に到達するまでの時間が異なることを考慮した構成となっている。
【００３４】
図７は、本実施形態のインクジェット記録装置の電気的な制御構成を示すブロック図である。図７に示すように、本実施形態のインクジェット記録装置には、残量検出部３３が設けられている。残量検出部３３は、インクタンク３０に収容されたインクの残量値を検出して制御部３へ出力する。残量検出部３３は、インクタンク３０におけるインクの水位（高さ）に対応した光量、電気抵抗、または静電容量の値を用いてインクの残量値を検出する。なお、残量検出部３３は、インクの吐出データに対応するインク使用量からインクの残量値を算出してもよい。
【００３５】
また、本実施形態のインクジェット記録装置には、互いに異なる複数のインクの残量値の各々に対応付けて時間を示したデータが記憶部５に格納されている。この時間は、インクタンク３０の内部圧力がしきい値Ｐ０に到達するのに必要な時間である。
【００３６】
図８は、本実施形態のインクジェット記録装置で行われる圧力異常検知動作の手順を示すフローチャートである。
【００３７】
まず、残量検出部３３が、制御部３の制御に従って、インクタンク３０におけるインクの残量値を検出する（ステップＳ２０）。その直後、加圧ポンプ３２が、制御部３の制御に従ってインクタンク３０を加圧する加圧動作を行う（ステップＳ２１）。
【００３８】
加圧ポンプ３２が加圧動作を開始してから第１の時間ｔ０が経過すると、圧力センサー３１が、制御部３の制御に従ってインクタンク３０の内部圧力を検出し、検出値を制御部３へ出力する（ステップＳ２２）。ステップＳ２２において、制御部３は、残量検出部３３に検出された残量値に対応付けて上述したデータに示されている時間を第１の時間ｔ０として選択する。
【００３９】
制御部３は、圧力センサー３１の検出値（第１の検出値）を、しきい値Ｐ０と比較する（ステップＳ２３）。ステップＳ２３以降の動作内容（ステップＳ２４からステップＳ２９までの動作内容）については、上述したステップＳ４からステップＳ９までの動作内容と同様である。
【００４０】
本実施形態においても実施形態１と同様に、圧力異常が発生したとき、その発生箇所の異なる２つのモードに分類される。これにより、圧力異常個所が自動的に特定されるので、圧力異常に対して速やかに対処することが可能となる。
【００４１】
さらに、本実施形態では、加圧ポンプ３２が加圧動作を開始する直前にインクの残量を検出し、検出値に対応したしきい値圧力（Ｐ０）までの到達時間がデータとして記憶されている。このデータで圧力異常の有無を判断することで、インクジェット記録装置１に比べより一層適切に判断することができる。
【符号の説明】
【００４２】
１０  記録ヘッド
２０  制御弁
３０  インクタンク
３１  圧力センサー
３２  加圧ポンプ
５０  負圧室
５１  供給弁
５４  連通部
５５  第２の流路
５６  第１の流路
【図１】
0005777328.tif 000002
【図２】
0005777328.tif 000003
【図３】
0005777328.tif 000004
【図４】
0005777328.tif 000005
【図５】
0005777328.tif 000006
【図６】
0005777328.tif 000007
【図７】
0005777328.tif 000008
【図８】
0005777328.tif 000009
【図９】
0005777328.tif 000010